(57)【特許請求の範囲】
【請求項１】
インサートの雌ねじ付き取付孔開口側端面に重ねられる蓋体と、前記蓋体の一つの表面に易破断部を介して突出形成された筒状の型枠取付体と、前記蓋体のもう一つの表面に突出形成され前記雌ねじ付き取付孔に嵌込まれる筒状で複数の割溝によって複数部片に分割されている嵌合体と、前記嵌合体の前記蓋体に接近した基端部外側周面に設けられ前記取付孔の雌ねじと螺合する雄ねじとを具えたことを特徴とするインサート保持具。
【請求項２】
前記嵌合体の外側周面が先端へ向かって小径となる截頭円錐面とされている請求項１に記載したインサート保持具。
【発明の詳細な説明】
【０００１】
【発明の属する技術分野】
本発明は工場でパネル、ブロックなどのコンクリート製品を成形する際に、コンクリート製品に埋設するインサートを型枠に仮装着させるために使用されるインサート保持具に関するものである。
【０００２】
【従来の技術】
コンクリート製品を相互に接続したり躯体に取り付けるため、或いは揚重用機械に取り付けるため、ボルトを受入れる雌ねじ付き取付孔を有するインサートを表面に埋設しておくことは周知である。
【０００３】
このようなインサートは型枠の所定個所に取り付けたインサート保持具に仮装着し、コンクリートを打設して脱型したときインサート保持具の全部または一部を型枠と一体にインサートから分離させることによって、コンクリート製品内に残置させる。そして、工場で成形したコンクリート製品は出荷まで屋外に放置されるのが普通であり、その間に雌ねじ付き取付孔に雨水が浸入して発錆させたり、塵埃や土砂が侵入してボルトのねじ込みを妨げたりすることのないように、インサート保持具の一部を仮装着したままの状態でインサートをコンクリート製品に埋設しておくことが考えられている。
【０００４】
図５（Ａ）は型枠５１のコンクリートが打設される側である内表面に重ねられるフランジ５４の基端面に薄肉の易破断部５５を介して筒状の嵌合部５６を設けるとともに、先端側に雄ねじ付き螺合部５７を設け、螺合部５７の先端に工具係合部５８を具えてなるインサート保持具５３であって、型枠５１の取付孔５２に嵌合部５６を密に嵌合することによって型枠５１に取り付け、インサート７１の雌ねじ付き取付孔７２を螺合部５７に螺合させることによってインサート７１を仮装着させるものである。
【０００５】
前述のインサート保持具５３は実用新案登録第３００５４５１号公報に記載されたものと実質的に同じであり、コンクリートを打設して型枠５１を脱型するとき易破断部５５が破断して嵌合部５６が型枠５１と一体にインサート７１から分離し、フランジ５４，螺合部５７，工具係合部５８がインサート７１と一体にコンクリート製品内に残置される。
【０００６】
図５（Ｂ）は型枠５１の内表面に重ねられるフランジ６２付きの蓋板６３の基端側中心に小径の易破断部６４を介して軸状の突起部６５を設けるとともに蓋板６３に工具係合部６６を形成し、先端側に雄ねじ付き螺合部６７を設けてなるインサート保持具６１であって、型枠５１の取付孔５２に突起部６５を密に嵌合することによって型枠５１に取り付け、インサート７１の雌ねじ付き取付孔７２を螺合部６７に螺合させることによってインサート７１を仮装着させるものである。
【０００７】
前述のインサート保持具６１は特開平７−２３２３１４号公報に記載されたものと実質的に同一であり、コンクリートを打設して脱型するとき易破断部６４が破断して突起部６５が型枠５１と一体にインサート７１から分離し、蓋板６３，螺合部６７がインサート７１と一体にコンクリート製品内に残置される。
【０００８】
【発明が解決しようとする課題】
前記二つのインサート保持具５３，６１は一部がインサート７１に仮装着状態で残置されることによって、コンクリート製品を屋外に放置状態で保管してもインサート７１内部の雨水による発錆、塵埃や土砂によるボルトねじ込み不良という不都合をなくすことができる。
【０００９】
しかしながら、前者のインサート保持具５３は螺合部５６と工具係合部５８とが雌ねじ付き取付孔７２に深く入り込んだ状態でインサート７１に仮装着されるので、雨水によるインサート７１の発錆を防止することはできるが、塵埃や土砂が侵入して工具係合部５８への工具の差込みを妨げるという心配がある。また、後者のインサート保持具６１は軸状の突起部６５を取付孔５２に嵌合して型枠５１に取り付けるため、コンクリート打設時にインサート７１にコンクリートが衝突して衝撃や大荷重が加えられると易破断部６４が応力集中により破断するという心配がある。
【００１０】
加えて、前記二つのインサート保持具５３，６１はいずれも螺合部５７，６７の雌ねじをインサート７１の取付孔７２の雌ねじとインサート７１の端面がフランジ５４，６２と重なるまで螺合して仮装着するものであるため、これらを着脱するときは多数回回転させなければならずきわめて面倒である。
【００１１】
本発明はこのようにインサートを装着する作業、およびインサートに仮装着状態のまま残置された部分を抜き出して分離する作業が面倒であり、そのために殊に多数個のインサートについて抜き出しを行なうときはボルトねじ込みに至るまでの作業能率を低下させる原因となる、という前記従来のインサート保持具がもっている課題を解決しようとするものであって、インサートの装着およびインサートからの分離が簡単迅速に行なえるものとすることを主な目的とする。
【００１２】
【課題を解決するための手段】
前記課題を解決するために、本発明はインサートの雌ねじ付き取付孔開口側端面に重ねられる蓋体の一つの表面に易破断部を介して筒状の型枠取付体を突出形成するとともに、もう一つの表面に雌ねじ付き取付孔に嵌込まれる筒状の嵌合体を突出形成し、そして嵌合体の蓋体に接近した基端部外側周面に取付孔の雌ねじと螺合する雄ねじを設けたものとした。
【００１３】
型枠取付体が筒状であることによって型枠に安定よく保持されてインサートを仮装着しておくことができ、また嵌合体の基端部外側周面に雄ねじを設けたことによって取付孔の雌ねじはインサートが型枠に接近したとき螺合するようになり、少ない回転数で仮装着されることとなる。従ってまた、コンクリート製品に埋設されたインサートから残置されている蓋体、嵌合体を簡単迅速に取り外すことができる。
【００１４】
尚、嵌合体の外側周面を先端へ向かって小径となる截頭円錐面とすると、雌ねじ付き取付孔への嵌込みが容易になるという利点がある。また、嵌合体を割溝によって複数部片に分割すると、雌ねじ付き取付孔に寸法誤差があっても確実に嵌込むことができるという利点がある。
【００１５】
【発明の実施の形態】
図面を参照して本発明の実施の形態を説明すると、図１に示すように後述するインサート１５の外径とほぼ等しい直径を有する円板とされた蓋体１の一つの表面の中心部にねじ回しを係合する溝からなる工具係合部２が設けられているとともに、工具係合部２を囲んで円筒状の型枠取付体３が突出形成されている。型枠取付体３の蓋体１への接合端は薄肉とされ、この薄肉部分は易破断部４を形成している。また、型枠取付体３の外側周面には一ピッチに満たない長さの螺旋突条５が設けられている。
【００１６】
蓋体１のもう一つの表面には円筒状の嵌合体６が突出形成されており、型枠取付体３と嵌合体６とは中心軸線が同一である。この嵌合体６は外側周面が先端へ向かって小径となる截頭円錐面とされており、また軸線方向へ延びる複数の割溝７によって複数部片、図示実施の形態では三つの部片に分割されている。更に、嵌合体６の蓋体１に接近した基端部の外側周面に雄ねじ８が設けられている。即ち、雄ねじ８は基端部のみに設けられており、巻き数が１乃至２、一般には１．５程度の短かいねじである。
【００１７】
図２を参照して、インサート１５は雌ねじ付き取付孔１６を有する円筒状の本体１７とその取付孔奥端側に形成されたフランジ１８とからなり、また型枠２１には型枠取付体３が差込まれる内孔２３に一ピッチに満たない長さの螺旋突状２４を設けた円筒状の取付具２２が嵌込み固定されている。
【００１８】
型枠２１のコンクリートが打設される内側面の側から取付具２２の内孔２３に型枠取付体３を差込みながら回転させて螺旋突条５，２４を互いに噛み合わせ係合するとともに蓋体１を型枠２１の内表面に重ねた状態とする。次に、インサート１５を嵌合体６に雌ねじ付き取付孔１６を嵌装して前進させると、先端面が蓋体１に接近したとき雌ねじに雄ねじ８が当るので、以後はインサート１５を回転させて互いに噛み合わせ螺合して先端面を蓋体１に重ねる。これによりインサート１５が型枠２１に仮装着されることとなり、この状態は図３に示されている。
【００１９】
雄ねじ８は蓋体１に接近した個所に設けられ、従って少ない巻き数のねじであるので、インサートを少ない回転数で仮装着することができる。
【００２０】
また、図示実施の形態では嵌合体６の外側周面を截頭円錐面としているので、インサート１５を嵌合体６と中心軸線を一致させることなく斜め方向からでも嵌装を開始することができ、容易に嵌込んで仮装着を簡単迅速に行なうことが可能となる。加えて、雌ねじ付き取付孔１６に寸法誤差があって雌ねじのねじ山が規格よりも高い場合でも、嵌合体６は先端が小径の截頭円錐面としたため嵌込むことが可能である。
【００２１】
更に、図示実施の形態では嵌合体６を割溝７によって複数部片に分割し、径方向の変形が可能な構造としているので、寸法誤差に対する適応性が大きくなり、雄ねじ８を雌ねじと確実に螺合させることができる。
【００２２】
コンクリートを打設しその硬化を待って脱型をするとき、型枠２１がコンクリート表面から離れる際に型枠取付体３が蓋体１から引き離され、この引張り力が易破断部４に集中して破断させ、蓋体１が雌ねじ付き取付孔１６の開口を覆ってコンクリート製品Ｃの表面に露出し嵌合体６の雄ねじ８が雌ねじに螺合してインサート１５と一体にコンクリート製品Ｃ内に残置される。この状態は図４に示されている。
【００２３】
蓋体１は雌ねじ付き取付孔１６を塞いで屋外に放置保管している間に雨水や塵埃、土砂が侵入することを防止する。コンクリート製品Ｃを出荷するため、または現場で相互に接続したり躯体に取り付けるためボルトを雌ねじ付き取付孔１６にねじ込むとき、工具係合部２にねじ回しのような工具を係合して回すことにより蓋体１と嵌合体６とが一体に回転して雄ねじ８が雌ねじから外れる。このときも、仮装着するときと同様に少ない回転数で外すことができ、その後は蓋体１を指でつまんで嵌合体６を雌ねじ付き取付孔１６から抜き取ることによってきわめて簡単迅速に取り外すことができる。また、工具係合部２を利用することなく、蓋体１の外側周縁に斜め外側方から工具を当ててこじあけることにより雄ねじ８を雌ねじから外すこともできる。この方法は複数部片に嵌合体６を分割したものについて容易に可能である。
【００２４】
尚、型枠取付体３は螺旋突条５，２４の係合によって取付具２２の内部に残留していても、次のコンクリート製品成形のため新規のインサート保持具の型枠取付体３を取付具２２に差込んで回転させる際に押し出され、簡単に取り外される。しかし、本発明では型枠取付体３を取付具２２に係合させるものに限定するものではなく、型枠２１に取付孔を設けて直接嵌合するという、前出の実用新案登録第３００５４５１号公報に記載されている手段によることもでき、いずれの場合も嵌合体６と同程度の径とすることによってインサート１５を安定よく仮装着しておくことができる。
【００２５】
【発明の効果】
以上のように、本発明によると型枠に安定よく保持されるとともに、嵌合体へのインサートの装着およびインサートから嵌合体の分離を少ない回転数で簡単迅速に行なうことができ、多数個に対する作業を能率よく行なうことを可能とするものである。
【図面の簡単な説明】
【図１】本発明の実施の形態を示す（Ａ）は正面図、（Ｂ）は左側面図。
【図２】図１の形態の使用状態を説明する組付け前の縦断面図。
【図３】図１の形態の使用状態を説明する組付け縦断面図。
【図４】図１の形態の使用状態を説明する脱型後の縦断面図。
【図５】（Ａ），（Ｂ）は異なる従来例を示す縦断面図。
【符号の説明】
１  蓋体，  ３  型枠取付体，  ４  易破断部，  ６  嵌合体，  ７  割溝，８  雄ねじ，
【図１】
0004663854.tif 000002
【図２】
0004663854.tif 000003
【図３】
0004663854.tif 000004
【図４】
0004663854.tif 000005
【図５】
0004663854.tif 000006